(57)【要約】【課題】  戸袋を備えた吊戸装置であって、吊戸が吊設されて開閉する上レールの取付け構造であって、別部品として製作される止金具を用いることなく、レール台に上レールの後端部を固定することが出来るレール取付け構造の提供。【解決手段】  上レール３が取付けられるレール台４の戸袋側にはレール台基板７との間に溝１０を設けて下方へ延びる嵌合部９を有す上止金具６を設け、又レール台基板７との間に溝１２を設けて上方へ延びる嵌合部１１を有すと共に該嵌合部１１の上端を湾曲して水平に延びる受け部８を形成した下止金具５を設け、これら上止金具６と下止金具５の溝１０、１２に上レール３の上基板１８と下基板１９を嵌め、更に必要に応じて適当な位置に下止金具５を設けて支持し、間口側はレール台４にネジ止めしている。【選択図】    図４
0003116231.tif 000002
【実用新案登録請求の範囲】
【請求項１】
戸袋を備えた吊戸装置であって、吊戸が吊設されて開閉する上レールの取付け構造において、該上レールが取付けられるレール台の戸袋側にはレール台基板との間に溝を設けて下方へ延びる嵌合部を有す上止金具を設け、又レール台基板との間に溝を設けて上方へ延びる嵌合部を有すと共に該嵌合部の上端を湾曲して水平に延びる受け部を形成した下止金具を設け、これら上止金具と下止金具の溝に上レールの上基板と下基板を嵌め、更に必要に応じて適当な位置に下止金具を設けて支持し、間口側はレール台にネジ止めしたことを特徴とする吊戸の上レール取付け構造。
【請求項２】
上記下止金具の受け部にはその中央に水平部を形成し、側端部には傾斜部を設けた請求項１記載の吊戸の上レール取付け構造。
【考案の詳細な説明】
【技術分野】
【０００１】
本考案は吊戸を吊設して吊車が走行する上レールの取付け構造に関するものである。
【背景技術】
【０００２】
図５は従来から一般的に使用されている吊戸装置の正面図であり、吊戸(イ)は上レールに吊設されて走行し、間口を開閉することが出来る。そして、吊戸(イ)が開口した場合に納まる戸袋を構成する戸袋パネル(ロ)が据付けられ、上レールをカバーすると共に点検する為の点検パネル(ハ)が上部に取付けられている。この点検パネル(ハ)は簡単に取外して内部を開口することが出来る取着構造と成っている。
【０００３】
同図の(ａ)は点検パネル(ハ)が吊戸(イ)と戸袋パネル(ロ)に跨った長いパネルが用いられ、(ｂ)では戸袋(ロ)が上端まで延びて点検パネル(ハ)は吊戸(イ)の上部のみとなっている。このような吊戸装置は部屋を仕切っている間仕切パネルの一部として構成しているために、上レール等の開閉装置の保守点検時には上記戸袋パネル(ロ)及び点検パネル(ハ)を取外すことが出来る。
【０００４】
ところが、建物によってはパネルを据付する間仕切装置を用いないで、ボードやクロス貼りなどによる建築壁として施工することもある。この場合には、間口に設ける吊戸の戸袋も建築壁と同じ壁面にて構成し、点検パネルの部分も建築壁とされる。建築壁にて戸袋パネルや点検パネルを構成する方が外観意匠が良くなる。しかし、取外し出来る戸袋パネルや点検パネルがないことで、吊戸を吊設する上レール並びにその他の付属装置の保守点検が出来ない。
【０００５】
そこで、このような戸袋構造とした引戸装置では、上レールを簡単に着脱して保守点検が可能な吊戸の上レール取付け構造としている。特許第３２４３６３９号に係る「吊戸のレール取付け構造」は従来技術であり、吊戸は僅かに傾斜したレールに吊設されて開いた吊戸は自重によって自然に閉じることが出来る半自動で、間口を開口した際には吊戸が進入する戸袋を有す吊戸装置の上記レールの取り付け構造において、レールはレール台に取着され、戸袋側はレール台に取着したツメに引っ掛けてレールを支持し、間口側はネジ止めした構造と成っている。
【０００６】
すなわち、レール台には別部品として製作したツメが取付けられるが、その分だけ製作コスト及び取付けコストが嵩むことになる。図６はレール台(ニ)に上レール(ホ)を取付けた従来構造を示しているが、戸袋側の後端部では３個の止金具(ヘ)、(ヘ)、(ヘ)によって拘束され、間口側ではネジ(ト)、(ト)・・によって締め付けられている。すなわち、上レール(ホ)は下側２個と上側１個の止金具(ヘ)、(ヘ)・・の間に挿入し、間口側はネジ止めされた構造と成っている。
【特許文献１】特許第３２４３６３９号に係る「吊戸のレール取付け構造」
【考案の開示】
【考案が解決しようとする課題】
【０００７】
このように従来の上レール取付け構造には上記のごとき問題がある。本考案が解決しようとする課題はこれら問題点であって、別部品として製作される止金具を用いることなく、レール台に上レールの後端部を固定することが出来るレール取付け構造を提供する。
【課題を解決するための手段】
【０００８】
本考案のレール取付け構造は、レール台に止金具が一体成形されている。止金具の個数は特に限定しないが、基本的には前記図６に示したものと同じく下側に２個と上側に１個が成形され、これら止金具の間に上レールを挿入して拘束する。ところで、止金具の形状は上レールの取付け部断面形状によって違ってくる為に限定しないが、下側止金具は受け部と嵌合部を有し、上側止金具は嵌合部を形成している。
【０００９】
ところで、嵌合部は上レールが挿入し易いように入口側が外方向へ傾斜している。又、受け部はその中央部に水平部と側部に傾斜部を設けている。上記止金具によって上レールの後端部が固定され、間口側は従来通りネジ止めされる。上レールは上下基板を有し、両基板の間からアームを延ばすと共にレール部を立ち上げた形状としている。
【考案の効果】
【００１０】
本考案ではレール台に止金具を一体成形し、この止金具によって上レールの後端部側を固定することが出来る。従来のように別部品として製作した止金具を用いて、これをレール台に取着する場合に比べてコストは安くなる。又、止金具はレール台の所定の位置に正しく成形されるために、上レールは取付け易くなる。そして、上レール下側に位置する下止金具の受け部は、その先端部が傾斜している為に、上レールを傾斜してレール台に取付けることも可能と成る。
【実施例】
【００１１】
図１は建築壁にて戸袋１を構成している吊戸装置の正面図であり、吊戸２は上レール３に吊設されて開閉することが出来る。戸袋１は建築壁にて構成している為に取外すことが出来ず、上レール３の着脱は吊戸２を外した状態で間口側から行われる。すなわち、上レール２の戸袋側(後端部)をレール台にネジ止めすることが出来ない為に、レール台に設けている上下止金具にて固定し、この状態で上レール３の間口側(先端部)をネジ止めしている。
【００１２】
図２は上レール３が取付けられるレール台４の後端部を表している具体例であり、レール台４は前記図６とその基本形態は同じであり、金属板を材質とした概略Ｌ形断面の長尺材から成っている。同図に示しているレール台４の後端部には下止金具５ａ，５ｂが所定の距離をおいて設けられ、上止金具６は下止金具５ｂと対を成して設けられている。
【００１３】
上記下止金具５ａ，５ｂ及び上止金具６は別部品をレール台４に固定したものではなく、レール台４の一部を打抜き・曲げ成形された止金具である。すなわち、下止金具５ａ，５ｂ及び上止金具６はレール台４に一体成形されている。下止金具５ａ，５ｂはレール台４の基板７に対して概略Ｌ形を成し、基板７との間に溝１２を残して嵌合部１１が上方へ延び、該嵌合部１１の上端部が湾曲して水平に延びる受け部８，８を有している。
【００１４】
一方の上止金具６は基板７に対して同じく概略Ｌ形を成し、嵌合部９が下方へ延びており、該嵌合部９と基板７との間には溝１０が形成されている。これら下止金具５ａ，５ｂ及び上止金具６を成形する方法は自由であるが、基板７を打抜いて曲げ成形する為に、周囲には空間１３，１４を設けている。
【００１５】
図３は図２のＡ部拡大図であり、上記下止金具５ａを示している。同図の(ａ)は(ｂ)のＢ−Ｂ断面図である。下止金具５ａは嵌合部１１と受け部８から成り、嵌合部１１は基板７との間に溝１２を残して該基板７と平行を成している。そして、受け部８は嵌合部１１及び基板７に対して垂直を成し、水平に延びている。又、該受け部８は中央に水平部１５とその両側には傾斜部１６，１６を形成している。更に、嵌合部１１の両端を屈曲して傾斜部１７，１７を設けている。
【００１６】
図４は上レール３が下止金具５と上止金具６にて固定されている場合の断面図である。上レール３は上方へ延びる上基板１８と下方へ延びる下基板１９を有し、上下基板１８，１９の間から水平に延びるアーム２０を設け、該アーム先端から上方へ延びるレール部２１を有している。吊戸２を吊設する吊車(図示なし)はレール部２１に載って走向して吊戸２を開閉することが出来る。
【００１７】
ところで、上レール３の下基板１９は下止金具５に係合して溝１２に嵌り、アーム２０は受け部８に載置される。又、上基板１８は上止金具６の溝１０に嵌合している。すなわち、上レール３の上下基板１８，１９は上下止金具５，６とレール台４の基板７との間に形成している溝１０，１２に嵌合すると共に、下止金具５の受け部８に載って支持される。
【００１８】
上レール３は、間口側から挿入することでその上基板１８及び下基板１９が上止金具６及び下止金具５の溝１０，１２に嵌合して拘束される。ここで、上基板１８及び下基板１９が溝１０，１２に嵌り易くするために、上止金具６及び下止金具５の嵌合部９，１１の両側端は図３に示しているように傾斜している。
【００１９】
ところで、上レール３の間口側(先端部)はレール台４にネジ止めされるが、水平に取付ける場合、先端部側を僅かに低く傾斜して取付ける場合とがある。上レール３を水平に取付ける場合には受け部８の水平部１５に載り、上レール３を傾斜して取付ける場合には傾斜部１６に載置される。
【図面の簡単な説明】
【００２０】
【図１】吊戸装置の正面図。
【図２】下止金具と上止金具を成形したレール台。
【図３】図２のＡ部拡大図。
【図４】上止金具と下止金具によって固定された上レール。
【図５】パネルで戸袋を構成した吊戸装置の正面図。
【図６】従来の上レール取付け構造。
【符号の説明】
【００２１】
１  戸袋
２  吊戸
３  上レール
４  レール台
５  下止金具
６  上止金具
７  基板
８  受け部
９  嵌合部
10  溝
11  嵌合部
12  溝
13  空間
14  空間
15  水平部
16  傾斜部
17  傾斜部
18  上基板
19  下基板
20  アーム
21  レール部
【図１】
0003116231.tif 000003
【図２】
0003116231.tif 000004
【図３】
0003116231.tif 000005
【図４】
0003116231.tif 000006
【図５】
0003116231.tif 000007
【図６】
0003116231.tif 000008